(57)【要約】【課題】シンプルで空気調和機に取付けた際の見栄えも良く、しかも、良好に空気調和機からの吹出し風を室内全体に拡散させることが可能な吹出し風拡散装置を提供すること。【解決手段】天井面に設けられた空気調和機１００の吹出口１０３から吹出す風を室内全体に拡散させるための装置であって、前記空気調和機のパネル１０１の複数箇所に固定した取付具１０に対して着脱可能とした複数の支持体２０と、前記支持体２０を介して空気調和機の下方に吹出口と対向する状態で配置される風受体３０とを備え、前記風受体は外観形状を環状とした皿状の部材からなり、前記吹出口と対向する面には複数のフィン３１が所定間隔で立設されている。【選択図】図２
0003191227.tif 000002
【実用新案登録請求の範囲】
【請求項１】
天井面に設けられた空気調和機の吹出口から吹出す風を室内全体に拡散させるための装置であって、前記空気調和機のパネルの複数箇所に固定した取付具に対して着脱可能とした複数の支持体と、前記支持体を介して空気調和機の下方に吹出口と対向する状態で配置される風受体とを備え、前記風受体は外観形状を環状とした皿状の部材からなり、前記吹出口と対向する面には複数のフィンが所定間隔で立設されていることを特徴とする空気調和機における吹出し風拡散装置。
【請求項２】
前記風受体は、外周側が内周側よりも低くなるように形成されていることを特徴とする請求項１記載の空気調和機における吹出し風拡散装置。
【請求項３】
前記風受体の内周側には、各支持体間に跨るようにして吹出口と対応する位置に、開度を調節可能なフラップが設けられていることを特徴とする請求項１または２に記載の空気調和機における吹出し風拡散装置。
【請求項４】
前記風受体は、支持体に対し支承部材を介して回転可能に支承されていることを特徴とする請求項１ないし３のいずれかに記載の空気調和機における吹出し風拡散装置。
【考案の詳細な説明】
【技術分野】
【０００１】
本考案は、天井面に設けられた空気調和機の吹出口から吹出す風を室内全体に拡散させる装置に関する。
【背景技術】
【０００２】
オフィスや店舗等においては、見栄えや取付スペース等の面から天井埋込カセット型の空気調和機が使用されることが多い。天井埋込カセット型の空気調和機は、天井に形成された開口に挿入・設置される室内機本体と、前記室内機本体の下面に天井と略面一となるように取付けられた矩形状のパネルとを備え、前記パネルの中央部に設けた吸込口から吸い込んだ空気を室内機本体において所定温度に調整し、冷風あるいは温風（以下、冷風等という）としてパネルの各辺に沿って形成された４箇所の細長な吹出口から吹出して室内を冷暖房するように構成されている。
然るに、前記冷風等は、パネルに形成した４箇所の吹出口から下向き若しくは斜め下向きに吹出すので、吹出し方向以外へは冷風等が行き渡り難く、室内全体が均等に冷暖房され難いという問題がある。一方、冷風等の吹出し方向に居る人には長時間にわたって直接冷風等が当たることになり、特に冷房中にあっては長時間冷風に当たり続けて体調を崩す等の健康被害を受けるという問題がある。
【０００３】
上記の問題を解決するために、例えば、羽根部材とスポーク部材と前記スポーク部材を支持するハブ部材とからなり、空気調和機の送風口から吹き降ろされる風が前記羽根部材の回転軌道上に当たるように配設される羽根車と、ねじ山が形成された上端と前記羽根車を水平に軸支する下端を有するシャフト部材と、前記シャフト部材の螺入孔を有し、前記空気調和機の吸い込み口正面に配置する台座プレートと、前記シャフト部材の前記空気調和機の吸い込み口背面に配置する背面プレートと、前記台座プレートと背面プレートを挟持して、前記シャフト部材を前記空気調和機の吸い込み口正面に吊り下げる挟持部材とを備え、少なくとも前記送風口から吹き出される風のみによって前記羽根車を自転可能とした気流拡散装置が開示されている（特許文献１参照）。
そして、前記気流拡散装置を空気調和機の下方にシャフト部材を介して配設し、送風口から吹き降ろされる風によって羽根車を回転させることで、前記風を拡散させて室内の温度ムラを解消するとともに、前記羽根車によって送風口から吹き降ろされる風を所定時間毎に分断し、前記風の吹き出し方向に居る人に風が吹き付ける時間を短くすることができる。
【先行技術文献】
【特許文献】
【０００４】
【特許文献１】特開２００６−１３２８１０号公報
【考案の概要】
【考案が解決しようとする課題】
【０００５】
然るに、特許文献１に記載されている装置は、空気調和機の下方にシャフト部材を介して羽根車が配設されるため見た目が大げさで、天井埋込カセット型の空気調和機のメリットである見栄え（デザイン性）が悪くなるという問題があった。
また、頭上で羽根車が回転することになるため天井が低い場合には圧迫感を感じたり、視界に入ることで鬱陶しく感じたりする等という問題もあった。
更に、羽根部材はスポークに対しビスによって固定されているだけであるため、何等かの理由で前記ビスが緩んだり折れたりすると、回転時の遠心力により羽根部材がスポークから抜脱して周囲へ飛散し、室内に居る利用者に怪我を負わせる可能性もあった。
【０００６】
本考案は前記種々の問題点に鑑み、シンプルで空気調和機に取付けた際の見栄えも良く、しかも、良好に空気調和機からの吹出し風を室内全体に拡散させることが可能な吹出し風の拡散装置の提供を目的とする。
【課題を解決するための手段】
【０００７】
前記の課題を解決するために、本考案の装置は、天井面に設けられた空気調和機の吹出口から吹出す風を室内全体に拡散させるための装置であって、前記空気調和機のパネルの複数箇所に固定した取付具に対して着脱可能とした複数の支持体と、前記支持体を介して空気調和機の下方に吹出口と対向する状態で配置される風受体とを備え、前記風受体は外観形状を環状とした皿状の部材からなり、前記吹出口と対向する面には複数のフィンを所定間隔で立設するようにした。
また、前記風受体は、外周側が内周側よりも低くなるように形成するとよい。
更に、前記風受体の内周側には、各支持体間に跨るようにして吹出口と対応する位置に、開度を調節可能なフラップを設けるとよい。
また更に、前記風受体は、支持体に対し支承部材を介して回転可能に支承するとよい。
【考案の効果】
【０００８】
本考案に係る装置によれば、空気調和機の吹出口から吹出す風は、当該吹出口と対向する位置に配置した風受体及びその吹出口と対向する面に立設した複数のフィンに沿って外周方向へ向かう渦巻状の流れを形成し、室内全体に拡散されるので、温度ムラの発生を解消することができるとともに、吹出し風が利用者の体に直接当たることがないので、特に冷房時に長時間冷風が当たることにより体調を崩す等といった健康被害の発生を良好に防ぐことができる。また、本考案の風受体は外観形状を環状となし、吹出口と対向する面に設けた複数のフィンによって吹出し風を拡散させるため、従来技術のように羽根車によって吹出し風を拡散させる場合に比べ、装置自体の見た目が非常にシンプルで、空気調和機に取付けた際の見栄えもよいという優れた利点を有する。しかも、風受体は支持体に対して固定され、吹出口から吹出す風を受けても回転しないので、従来技術のように回転時の遠心力により羽根部材がスポークから抜脱して周囲に飛散したり、回転に伴う鬱陶しさを感じたりするおそれもない。更に、前記風受体は空気調和機の下方に近接して配置することができるので、天井が低いような場合でも頭上に圧迫感を受けることもない。
【０００９】
また、風受体を、外周側が内周側よりも低くなるように形成すれば、空気調和機の吹出口からの吹出し風は、前記風受体に沿って水平方向へ流通する結果、空気調和機から離れた位置まで良好に拡散させることができる。
更に、風受体の内周側に、開度を段階的に調節可能なフラップを設ければ、冷房時には前記フラップを閉じることにより、吹出し風のほとんどを風受体側へ流通させて室内全体に拡散し、空気調和機の近辺に居る利用者に冷風が長時間直接当たるのを防いで、体調不良を起こす等の悪影響を回避することができるとともに、暖房時にはフラップを開放することにより、吹出し風のほとんどを風受体とフラップとの間から下方へ流通させ、暖気が室内の上方に滞留しやすくなるのを防ぐことができる。しかも、必要に応じてフラップの開度を調節することにより、冷風の一部を下方へ流通させたり、温風の一部を風受体側へ流通させたりすることができるため利便である。
【００１０】
更に、風受体を支持体に対して支承部材を介して回転可能に支承するようにすれば、空気調和機の吹出口から吹出す風が、前記風受体の吹出口と対向する面に設けた複数のフィンに当たることにより、風受体に周方向への回転力が付与され、吹出し風が室内全体に拡散されるので、風受体が回転しない場合よりも良好に吹出し風を拡散させることが可能となる。また、風受体を回転させるために特別な駆動手段を用いることがないので、省エネ及び二酸化炭素削減に寄与することができる。しかも、風受体は環状に形成され、その周方向の複数箇所において支持体により回転可能に支承されるので、吹出し風を受けて回転する際に、前記支持体から脱落等するおそれがない。その上、風受体は、吹出口と対向する面に複数のフィンが立設され、下方からは単なるリングにしか見えないため、風受体が吹出し風を受けて回転しても、従来技術の羽根車が回転するような鬱陶しさを感じることがない。
【図面の簡単な説明】
【００１１】
【図１】天井面に設置された空気調和機を示す斜視図である。
【図２】本考案の実施例１に係る装置を空気調和機に設置した状態を示す斜視図である。
【図３】本考案の実施例１に係る装置を示す斜視図である。
【図４】本考案の実施例１に係る装置を構成する支持体を示す斜視図である。
【図５】本考案の実施例１に係る装置の要部を拡大して示す分解斜視図である。
【図６】本考案の実施例１に係る装置を空気調和機に設置する動作を示す説明図である。
【図７】本考案の実施例１に係る装置を空気調和機に設置した状態を上方から見た要部の拡大斜視図である。
【図８】本考案の実施例１に係る装置を空気調和機に設置した状態を示す断面図である。
【図９】空気調和機からの吹出し風の流れを概略的に示す説明図である。
【図１０】本考案の実施例１に係る装置による空気調和機からの吹出し風の拡散状態を示す説明図である。
【図１１】本考案の実施例２に係る装置を空気調和機に設置する前の状態を示す斜視図である。
【図１２】本考案の実施例２に係る装置を空気調和機に設置した状態を示す斜視図である。
【図１３】本考案の実施例２に係る装置を示す斜視図である。
【図１４】本考案の実施例２に係る装置を構成する支持体を示す斜視図である。
【図１５】本考案の実施例２に係る装置の要部を拡大して示す分解斜視図である。
【図１６】（ａ）は本考案の実施例２に係る装置を空気調和機に設置した状態を下方から見た要部の拡大斜視図、（ｂ）は本考案の実施例２に係る装置を空気調和機に設置した状態を上方から見た要部の拡大斜視図である。
【図１７】本考案の実施例２に係る装置を空気調和機に設置した状態を示す断面図である。
【図１８】本考案の実施例２に係る装置による空気調和機からの吹出し風の拡散状態を示す説明図である。
【考案を実施するための形態】
【００１２】
以下、本考案を実施するための形態について、図１ないし図１８を参照しながら具体的に説明する。
【実施例１】
【００１３】
まず、本考案の実施例１について、図１ないし図１０を参照しながら説明する。図１は天井面に設置された空気調和機を示す斜視図である。図２は実施例１に係る装置を空気調和機に設置した状態を示す斜視図である。図３は実施例１に係る装置を示す斜視図である。図４は本考案の実施例１に係る装置を構成する支持体を示す斜視図である。図５は本考案の実施例１に係る装置の要部を拡大して示す分解斜視図である。図６は本考案の実施例１に係る装置を空気調和機に設置する動作を示す説明図である。図７は本考案の実施例１に係る装置を空気調和機に設置した状態を上方から見た要部の拡大斜視図である。図８は本考案の実施例１に係る装置を空気調和機に設置した状態を示す断面図である。図９は空気調和機からの吹出し風の流れを概略的に示す説明図である。図１０は本考案の実施例１に係る装置による空気調和機からの吹出し風の拡散状態を示す説明図である。
【００１４】
図１に所謂天井埋込カセット型の空気調和機を示す。天井埋込カセット型の空気調和機１００は、天井２００に形成された開口に挿入・設置される室内機本体（図視せず）と、前記室内機本体の下面に天井２００と略面一となるように取付けられた矩形状のパネル１０１とを備え、前記パネル１０１の中央部に設けた吸込口グリル１０２から吸い込んだ空気を室内機本体において所定温度に調整し、冷風あるいは温風（以下、冷風等という）としてパネル１０１の各辺に沿って形成された４箇所の細長な吹出口１０３から吹出して室内を冷暖房するように構成されている。なお、前記吹出口１０３には、当該吹出口１０３を開閉し、かつ、冷風等の吹出し方向を可変するルーバー１０４が設けられている。
【００１５】
図１に示す１０はパネル１０１の中央部に設けた吸込口グリル１０２の四隅に固定された取付具であり、後述する本考案の実施例１に係る吹出し風拡散装置１（図３参照）は、この取付具１０を介して空気調和機１００の下方に吹出口１０３と対向する状態で取付けられる。前記取付具１０は、例えば平面視形状が細長な五角形状の平板材からなり、図８に示すように、パネル１０１（吸込口グリル１０２）の裏面側に配置される固定板１１に対し、当該固定板１１との間でパネル１０１（吸込口グリル１０２）を挟み込んだ状態で、ボルト１２及びナット１３を用いて固定されている。また、取付具１０の裏面側の偏心位置には固定ピン１０ａが垂設されている。
【００１６】
図２に本考案の実施例１に係る吹出し風拡散装置１を空気調和機１００に取付けた状態を示す。また、図３に本考案の実施例１に係る吹出し風拡散装置１を示す。図３に示すように、前記吹出し風拡散装置１は、吸込口グリル１０２の四隅に固定した取付具１０に対して着脱可能とした支持体２０と、前記支持体２０を介して空気調和機１００の下方に吹出口１０３と対向する状態で配置される風受体３０とを備えて構成される。
【００１７】
支持体２０は、図４，５に示すように、例えば、コ字状の横部材２０ａと、前記横部材２０ａ上に垂直に設けた逆Ｕ字状の縦部材２０ｂとを備えて平面視Ｔ字状に形成されている。前記縦部材２０ｂの上面には、平面視を二等辺三角形状もしくは狭角な扇形状とした平板状の引掛部材２１が、その一方側（末広がりとなる側）を縦部材２０ｂの後端側から突出させた状態で設けられている。前記引掛部材２１の、縦部材１０ｂ後端側から突出する側の所定位置には、取付具１０の裏面に垂設した固定ピン１０ａの頭部よりも径大な透孔２１ａと、前記透孔２１ａと連通し、前記固定ピン１０ａの径寸法よりも若干幅広な係合溝２１ｂとが、周方向に沿って設けられている。また、前記縦部材２０ｂの後端側両側面には、後述するフラップ３６の支軸３６ａが装着される支持筒２２が設けられている。
【００１８】
風受体３０は、図３，５に示すように、外観形状を環状とした皿状の部材からなり、例えば４分割した皿状の部材３０ａを連結することにより環状に構成されている。前記風受体３０を構成する４分割された皿状の部材３０ａは、図５，８に示す如く、内周縁側に立ち上がり面を設けて、前記内周縁側よりも外周縁側が低くなるように形成されるとともに、空気調和機１００の吹出口１０３と対向する内面（上面）には、例えば平面視形状を円弧状としたフィン３１が所定間隔で複数立設されている。また、前記４分割された皿状の部材３０ａの周方向における一方の端部には平面視形状を「へ」の字状とした連結板３２が立設されるとともに、周方向における他方の端部には皿状の部材３０ａの幅方向のほぼ中央までの長さを有する平板状の連結板３３が立設されている。そして、前記連結板３２と連結板３３とをボルト３４及びナット３５を用いて締め付けることにより、内面（上面）に円弧状のフィン３１を複数設けた環状の風受体３０が構成される。なお、前記平面視「へ」の字状の連結板３２もフィンとしての役割を果たす。
前記風受体３０の内面（上面）に設けるフィン３１並びに「へ」の字状の連結板３２の数は、例えば合計で１６ないし２４枚とし、好ましくは２０枚とするのがよい。また、前記フィン３１及び「へ」の字状の連結板３２は、その内周側の端部と外周側の端部との位置関係が、例えば平面視で内周側に対して外周側が所定角度（例えば４５°）で左下がりとなるように設けられている。なお、前記風受体３０の内面（上面）に立設されるフィン３１は、平面視形状を円弧状とする代わりに、連結板３２と同様に平面視形状を「へ」の字状としてもよく、逆に、連結板３２の平面視形状を「へ」の字状とする代わりに、フィン３１と同様に平面視形状を円弧状としてもよい。
【００１９】
そして、前記風受体３０は、４分割した皿状の部材３０ａの連結箇所において、支持体２０に固定される。即ち、コ字状の横部材２０ａに皿状の部材３０ａの内周縁を挿入するとともに、逆Ｕ字状の縦部材２０ｂに重ね合せた連結板３２，３３を挿入し、この状態で、前記縦部材２０ｂと連結板３２，３３とをボルト３４及びナット３５を用いて締め付けることにより、風受体３０は支持体２０に共締め固定される。
【００２０】
なお、図３に示す３６は風受体３０の内周側に設けたフラップであり、その両端部に突設した支軸３６ａを、支持体２０の縦部材２０ｂに設けた支持筒２２に、開度を段階的に調節可能な状態で装着することにより、各支持体２０間に跨るようにして空気調和機１００の吹出口１０３と対応する位置（４箇所）に設けられる。
【００２１】
次に、本考案の実施例１に係る吹出し風拡散装置１を空気調和機１００に取付ける場合について図６を参照しながら説明する。吹出し風拡散装置１を空気調和機１００に取付ける場合は、空気調和機１００の下方から吹出し風拡散装置１を接近させ、図６（ａ）に示すように、その風受体３０の４箇所に固定した支持体２０に設けた引掛部材２１の透孔２１ａに、空気調和機１００の吸込口グリル１０２の四隅に固定した取付具１０の固定ピン１０ａの頭部を挿入する。この状態で、吹出し風拡散装置１を図６（ａ）の時計方向へ回転させ、図６（ｂ）に示すように、前記固定ピン１０ａを透孔２１ａと連通した係合溝２２ｂに係合させることにより、吹出し風拡散装置１は図２，７，８に示すように取付具１０を介して空気調和機１００の下方に吹出口１０３と対向する状態で取付けられる。
この際、吹出し風拡散装置１は空気調和機１００のパネル１０１に対し、図８に示すように、風受体３０の内面（上面）に立設した「へ」の字状の連結板３２に固定される支持体２０の縦部材２０ｂの高さに相当する距離だけ離れた状態で配置される。また、図９に示すように、風受体３０はその内周側が吹出口１０３の約半分程度まで掛かり、吹出口１０３の残り半分には風受体３０の内周側に設けたフラップ３６が掛かるように配置される。なお、前記支持体２０の縦部材２０ｂの高さや、風受体３０を吹出口１０３に対してどの程度掛かるように配置するかは、前記吹出口１０３から吹出す風を最も効率よく拡散させることができるように予め設定しておく。
【００２２】
つづいて、本考案の実施例１による作用について図９，１０を参照しながら説明する。図９（ａ）は冷風吹出し時（冷房時）の風の流れを概略的に示す。図９（ａ）に示すように、冷風吹出し時には、風受体３０の内周側に設けたフラップ３６は閉じた状態としておく。そして、空気調和機１００のパネル１０１に設けた吹出口１０３から、当該吹出口１０３を開閉するルーバー１０４に沿って斜め下向きに吹出す冷風は、図９（ａ）及び図１０に示すように、風受体３０及び当該風受体３０に設けた複数のフィン３１，「へ」の字状の連結板３２に沿って、風受体３０の外周方向へと向かう渦巻状の旋回流を形成する。従って、吹出口１０３から吹出す冷風は、室内全体に拡散されることとなり、室内の温度ムラを解消できるとともに、冷風が直接利用者に当たるのを防ぐことができる。この際、風受体３０の内周側に設けたフラップ３６は閉じられており、また、風受体３０は内周側が外周側よりも高くなっているので、吹出口１０３から吹出した冷風は、真下や上方（天井方向）へ向かうことなく、天井に沿って水平方向へ流れるため、空気調和機１００から離れた位置にも冷風を行き渡らせることができる。なお、前記フラップ３６は、開度を段階的に調節できるようになっているので、例えば吹出口１００の下方に居る利用者が暑いと感じるような場合には、前記フラップ３６を完全に閉じることなく少し開放することで、吹出口１０３から吹出す冷風の一部を、風受体３０とフラップ３６との間から下方へ流下させるようにしてもよい。
【００２３】
図９（ｂ）は温風吹出し時の風の流れを概略的に示す。図９（ｂ）に示すように、温風吹出し時には、風受体３０の内周側に設けたフラップ３６は開放しておく。そして、空気調和機１００のパネル１０１に設けた吹出口１０３から略下向きに吹出す温風は、そのほとんどが風受体３０と、その内周側に設けたフラップ３６との間を通って下方へ流下し、一部のみが風受体３０側へ流れる。これにより、室内の上方に暖気が滞留しやすくなるのを防ぐことができる。また、吹出口１００の下方に利用者が居るような場合には、温風が直接利用者に当たらないようにフラップ３６の開度を調節することにより、温風を略下向きではなく斜め下向きに流通させたり、風受体３０側に流通させたりするようにしてもよい。温風を風受体３０側に流通させた場合、前記温風は、風受体３０及び当該風受体３０に立設した複数のフィン３１，「へ」の字状の連結板３２に沿って、風受体３０の外周方向へと向かう渦巻状の旋回流を形成し、室内全体に拡散されるので、この場合にも暖気が室内の上方に滞留するのを防ぐことができる。
【００２４】
このように、本考案の実施例１に係る装置１によれば、空気調和機１００の吹出口１０３から吹出す冷風等は、当該吹出口１０３と対向する状態で設置された風受体３０に沿って渦巻状の旋回流となって室内全体へと拡散されるため、温度ムラを解消することができる。また、冷房時には、風受体３０及びその内周側に設けたフラップ３６によって、空気調和機１００の下方に居る利用者に冷風が直接当たることがないので、冷房時に長時間冷風に当たることによる健康被害を良好に防ぐことができる。しかも、前記風受体３０は、空気調和機１００の下方に極めて接近させた状態で設置することができるので、本考案の実施例１に係る吹出し風拡散装置１を空気調和機１００に設置しても、頭上に圧迫感を受けることがないという優れた効果を有する。更に、前記風受体３０は支持体２０に固定され、吹出し風を受けても回転しないので、本考案の実施例１に係る吹出し風拡散装置１を空気調和機１００に設置しても、従来技術のような問題点、即ち、羽根車の回転に伴って鬱陶しさを感じることや、羽根部材が回転時の遠心力によりスポークから抜脱して周囲に飛散するおそれも回避できる。
【実施例２】
【００２５】
次に、本考案の実施例２について、図１１ないし図１８を参照しながら説明する。図１１は本考案の実施例２に係る装置を空気調和機に設置する前の状態を示す斜視図である。図１２は本考案の実施例２に係る装置を空気調和機に設置した状態を示す斜視図である。図１３は本考案の実施例２に係る装置を示す斜視図である。図１４は本考案の実施例２に係る装置を構成する支持体を示す斜視図である。図１５は本考案の実施例２に係る装置の要部を拡大して示す分解斜視図である。図１６（ａ）は本考案の実施例２に係る装置を空気調和機に設置した状態を下方から見た要部の拡大斜視図、同図（ｂ）は本考案の実施例２に係る装置を空気調和機に設置した状態を上方から見た要部の拡大斜視図である。図１７は本考案の実施例２に係る装置を空気調和機に設置した状態を示す断面図である。図１８は本考案の実施例２に係る装置による空気調和機からの吹出し風の拡散状態を示す説明図である。
【００２６】
実施例２と実施例１との相違点は、風受体を支持体に対して回転可能に取付け、吹出口１０３から吹出す風によって前記風受体を回転させることにより、前記吹出し風を室内全体へ拡散させるようにした点にある。なお、実施例２において実施例１と共通する部材については同一の符号を用いて説明する。また、空気調和機１００及び風受体３０の構成は実施例１と同様であるため、ここでは詳細な説明を省略する。
【００２７】
図１１は実施例２に係る吹出し風拡散装置１Ａを設置する前の空気調和機１００を示している。空気調和機１００の構成については、前述（段落番号００１５参照）のとおりである。図１１に示す５０は空気調和機１００のパネル１０１の中央部に設けた吸込口グリル１０２の四隅に固定された取付具である。前記取付具５０は、例えば平面視形状を二等辺三角形状もしくは狭角な扇形状となし、かつ、外周には一部を除いて所定高さの周壁５０ａが下向きに設けられている。５１は取付具５０の裏面側に固定される平板状の取付座であり、所定位置に後述する支持体６０を固定するための止ねじ６４が螺合するねじ穴５１ａが設けられている。また、前記取付座５１が固定される取付具５０にも、前記取付座５１のねじ穴５１ａと合致する位置にねじ穴５０ｃが設けられている。そして、前記取付具５０は、図１７に示すように、パネル１０１（吸込口グリル１０２）の裏面側に配置される固定板５２に対し、当該固定板５２との間でパネル１０１（吸込口グリル１０２）を挟み込んだ状態で、ボルト５３及びナット５４を用いて固定される。
【００２８】
図１２に本考案の実施例２に係る吹出し風拡散装置１Ａを空気調和機１００に取付けた状態を示す。また、図１３に本考案の実施例２に係る吹出し風拡散装置１Ａを示す。前記吹出し風拡散装置１Ａは、図１３に示すように、吸込口グリル１０２の四隅に固定した取付具５０に対して着脱可能とした支持体６０と、前記支持体６０を介して空気調和機１００の下方に吹出口１０３と対向する状態で配置される風受体３０とを備えて構成される。
【００２９】
支持体６０は、図１３，１４に示すように、内面（上面）にフィン３１を設けた風受体３０を跨ぐように側面視形状をアーチ状とし、かつ、平面視形状を台形状とした枠状の部材からなり、前記支持体６０の幅方向（図１４の左右方向）の端部下方にはＬ字状の支持座６１ａ，６１ｂが垂設されている。一方（外周側）の支持座６１ａには、その周方向両端部に風受体３０の外周縁を支承する支承部材６２ａが起立状態で取付けられており、また、他方（内周側）の支持座６１ｂには、その周方向中央部に風受体３０の内周縁を支承する支承部材６２ｂが起立状態で、周方向両端部に風受体３０の内周側の立ち上がり面を支承する支承部材６２ｃが横倒しの状態で、それぞれ取付けられている。
なお、前記支承部材６２ａ〜６２ｃとしては、例えば、本体ケースに形成した球面凹状のボール受座に複数の小球を介して転動自在に収納したボールの一部を、前記本体ケースから露出させたものを使用する。この際、支承部材６２ａ，６２ｂはボールが露出した側を上向きに、支承部材６２ｃはボールが露出した側を外周側に向けた状態で支持座６１ａ，６１ｂに取付ける。
【００３０】
支持体６０の上方中央に設けた梁部６０ａには、平板状の固定座６３が、一方の端部を支持体６０の内周側の端部から突出させた状態で固定されている。また、前記固定座６３の、支持体６０の内周側の端部から突出する側の所定位置には、取付具５０及び当該取付具５０の裏面に固定した取付座５１にそれぞれ設けたねじ穴５０ｃ，５１ａに螺合される止ねじ６４が貫通する透孔６３ａが設けられている。
また、支持体６０の内周側の端部両側面には、風受体３０の内周側に設けられるフラップ３６の支軸３６ａを装着する支持筒６５が設けられている。前記フラップ３６は、開度を段階的に調節可能な状態で支持筒６５に装着されるとともに、各支持体６０間に跨るようにして空気調和機１００の吹出口１０３と対応する位置（４箇所）に設けられる。
【００３１】
風受体３０の構成については、前述（段落番号００１９参照）のとおりである。風受体３０を支持体６０に対し回転可能に取付ける場合は、図１５に示すように、４分割した状態の皿状の部材３０ａを、アーチ状となした支持体６０の内側に潜らせ、その内，外周縁を支承部材６２ａ，６２ｂ上に載置するとともに、内周側の立ち上がり面に支承部材６２ｃを当接させる。この状態で、皿状の部材３０ａの周方向における一方の端部に設けた「へ」の字状の連結板３２と、他方の端部に設けた平板状の連結板３３とをボルト３４及びナット３５を用いて締め付けることより、環状の風受体３０が形成されるとともに、前記風受体３０は、支持体６０に対し支承部材６２ａ〜６２ｃを介して回転可能に取付けられる。この際、風受体３０の内周側の立ち上がり面が支承部材６２ｃによって支承されるので、前記風受体３０は、幅方向へのガタツキをなくした状態で回転させることができる。
【００３２】
次に、本考案の実施例２に係る吹出し風拡散装置１Ａを空気調和機１００に取付ける場合は、空気調和機１００の下方から吹出し風拡散装置１Ａを接近させ、その風受体３０を４箇所において回転可能に支承する支持体６０の内周側の端部から突設した固定座６３を、空気調和機１００の吸込口グリル１０２の四隅に固定した取付具５０の周壁５０ａに設けた開口部５０ｂから、当該取付具５０内に進入させ、この状態で、前記固定座６３に設けた透孔６３ａに止ねじ６４を挿通し、取付具５０及び取付座５１にそれぞれ設けたねじ穴５０ｃ，５１ａに前記止ねじ６４を螺合させることにより、吹出し風拡散装置１Ａは図１２，１６，１７に示すように、取付具５０を介して空気調和機１００の下方に吹出口１０３と対向する状態で取付けられる。
この際、吹出し風拡散装置１Ａは空気調和機１００のパネル１０１に対し、図１７に示すように、風受体３０を回転可能に支承する支持体６０の高さに相当する距離だけ離れた状態で配置される。また、図９に示すように、風受体３０はその内周側が吹出口１０３の約半分程度まで掛かり、吹出口１０３の残り半分には風受体３０の内周側に設けたフラップ３６が掛かるように配置される。なお、前記支持体６０の高さや、風受体３０を吹出口１０３に対してどの程度掛かるように配置するかは、前記吹出口１０３から吹出す風を最も効率よく拡散させることができるように予め設定しておく。
【００３３】
つづいて、本考案の実施例２による作用について、図９及び図１８を参照しながら説明する。図９（ａ）は冷風吹出し時（冷房時）の風の流れを概略的に示す。図９（ａ）に示すように、冷風吹出し時には、風受体３０の内周側に設けたフラップ３６は閉じた状態としておく。そして、空気調和機１００のパネル１０１に設けた吹出口１０３から、当該吹出口１０３を開閉するルーバー１０４に沿って斜め下向きに吹出す冷風は、図９（ａ）及び図１８に示すように、風受体３０及び前記風受体３０に設けた複数のフィン３１，「へ」の字状の連結板３２に沿って外周方向へ流れるとともに、前記フィン３１及び連結板３２とぶつかることで風受体３０を図１８の反時計方向へ回転させる。これにより、吹出口１０３から吹出す冷風は、風受体３０の外周方向へと向かう渦巻状の旋回流を形成し、室内全体に拡散されることとなり、室内の温度ムラを解消できるとともに、冷風が直接利用者に当たるのを防ぐことができる。なお、前記フラップ３６は、開度を段階的に調節できるようになっているので、例えば吹出口１００の下方に居る利用者が暑いと感じるような場合には、前記フラップ３６を完全に閉じることなく少し開放することで、吹出口１０３から吹出す冷風の一部を、風受体３０とフラップ３６との間から下方へ流下させるようにしてもよい。また、前記フラップ３６は、支持体６０に取付けられているため、風受体３０が回転しても常時吹出口１０３と対向する状態となっており、吹出口１０３からの吹出し風を良好に風受体３０側へ流通させることができる。
【００３４】
図９（ｂ）は温風吹出し時の風の流れを概略的に示す。図９（ｂ）に示すように、温風吹出し時には、風受体３０の内周側に設けたフラップ３６は開放しておく。そして、空気調和機１００のパネル１０１に設けた吹出口１０３から略下向きに吹出す温風は、風受体３０と、その内周側に設けたフラップ３６との間を通って下方へ流下する。このように、温風吹出し時においては、そのほとんどが下方へ流下し、風受体３０に当たって拡散されることがないので、室内の上方に暖気が滞留しやすくなるのを防ぐことができる。なお、前記フラップ３６は、開度を段階的に調節できるようになっているので、吹出口１０３の下方に利用者が居るような状況では、温風が直接利用者に当たらないように前記フラップ３６の開度を調節することにより、温風を略下向きではなく、斜め下向きに流通させたり、温風の一部を風受体３０側に流通させたりするようにしてもよい。温風の一部を風受体３０側に流通させた場合には、冷風の吹出し時と同様に、風受体３０は、フィン３１及び「へ」の字状の連結板３２に温風がぶつかることにより図１８の反時計方向に回転し、前記温風を室内全体に拡散させることで、室内の上方に暖気が滞留しやすくなるのを防ぐことができる。
【００３５】
このように、本考案の実施例２に係る装置１によれば、冷房時に空気調和機１００の吹出口１０３から吹出す冷風を、前記吹出口１０３と対向する状態で配置した風受体３０のフィン３１及び「へ」の字状の連結板３２に沿って渦巻状に流通させるだけでなく、前記冷風がフィン３１及び連結板３２にぶつかることにより発生する風受体３０の回転力によっても、冷風を拡散させることができるので、より良好に室内全体の温度ムラを解消することが可能となる。また、前記冷風は、風受体３０及びフラップ３６によって空気調和機１００の下方に居る利用者に直接当たることがないので、冷房時に長時間冷風に当たることにより発生する健康被害を良好に防ぐことができる。
一方、暖房時においては、空気調和機１００の吹出口１０３から吹出す温風のほとんどが、風受体３０とその内周側に設けたフラップ３６との間を通って下方へ流下するので、室内の上方に暖気が滞留しやすくなるのを防いで、室内全体の温度ムラを解消することが可能となる。また、フラップ３６の開度を調節して温風の一部を風受体３０側へ流通させた場合、前記温風は風受体３０に設けたフィン３１及び「へ」の字状の連結板３２に沿って外周方向へ渦巻状に流通するとともに、前記フィン３１及び連結板３２とぶつかることにより発生する風受体３０の回転力によって室内全体に拡散するので、この場合も室内の上方に暖気が滞留しやすくなるのを良好に防ぐことができる。
【００３６】
更に、前記風受体３０は、空気調和機１００の下方に極めて接近させた状態で設置することができるので、本考案の実施例２に係る吹出し風拡散装置１Ａを空気調和機１００に設置しても、頭上に圧迫感を受けることがない。しかも、前記風受体３０は環状に形成され、その周方向における４箇所で側面視形状がアーチ状の支持体６０に支承部材６２ａ〜６２ｃを介して回転可能に支承されるので、風受体３０が吹出し風を受けて回転する際に、前記支持体３０から脱落等するおそれがない。また、従来技術の羽根車とは全く構造が異なるため、回転時の遠心力により羽根部材がスポークから抜脱して周囲に飛散するおそれがあるという従来技術における問題点も全く発生しない。その上、風受体３０は、吹出口１０３と対向する面（上面）に複数のフィン３１及び「へ」の字状の連結板３２が立設され、下方からは単なるリングにしか見えないため、風受体３０が吹出し風を受けて回転しても、従来技術の羽根車が回転するような鬱陶しさを感じることがない。
【００３７】
なお、本考案においては、４分割した皿状の部材を連結することにより環状の風受体を形成した場合を一例として説明したが、これに限定されるものではない。即ち、皿状の部材の分割数は５以上であってもよいし、２または３であってもよい。また、本考案においては、取付具を空気調和機の吸込口ダクトの四隅に固定する場合を一例として説明したが、これに限定されるものではなく、吸込口ダクトの所定の３箇所、もしくは、５箇所以上に固定するようにしてもよい（この場合、取付具に取付けられる支持体の数も、前記取付具の数と同数とすることは言うまでもない）。
また、本考案の実施例１に係る吹出し風拡散装置を空気調和機に取付けるに当っては、取付具側に設けた固定ピンを、支持体側に設けた係合溝に係合させるという手段を採用しているが、これに限定されるものではなく、その他の従来公知の手段を採用して取付けるようにしてもよい。更に、本考案の実施例２に係る吹出し風拡散装置を空気調和機に取付けるに当っては、支持体を取付具に止ねじによって固定するという手段を採用しているが、これに限定されるものではなく、その他の従来公知の手段を採用して取付けるようにしてもよい。
更に、本考案においては、吹出口を４箇所に設けた天井埋込カセット型の空気調和機に吹出し風拡散装置を設置する場合を一例として説明したが、本考案の装置は、吹出口を１箇所もしくは２箇所に設けた天井埋込カセット型の空気調和機にも適用可能である。
【符号の説明】
【００３８】
１，１Ａ  吹出し風拡散装置
１０，５０  取付具
２０，６０  支持体
３０  風受体
３１  フィン
３２，３３  連結板
３６  フラップ
６１ａ，６１ｂ  支持座
６２ａ，６２ｂ，６２ｃ  支承部材
１００  空気調和機
１０１  パネル
１０２  吸込口グリル
１０３  吹出口
１０４  ルーバー
【図１】
0003191227.tif 000003
【図２】
0003191227.tif 000004
【図３】
0003191227.tif 000005
【図４】
0003191227.tif 000006
【図５】
0003191227.tif 000007
【図６】
0003191227.tif 000008
【図７】
0003191227.tif 000009
【図８】
0003191227.tif 000010
【図９】
0003191227.tif 000011
【図１０】
0003191227.tif 000012
【図１１】
0003191227.tif 000013
【図１２】
0003191227.tif 000014
【図１３】
0003191227.tif 000015
【図１４】
0003191227.tif 000016
【図１５】
0003191227.tif 000017
【図１６】
0003191227.tif 000018
【図１７】
0003191227.tif 000019
【図１８】
0003191227.tif 000020